(57)【要約】【課題】簡易で小型の眼の訓練装置を提供すること。【解決手段】左右の光学系と、眼の訓練をするための画像を保存する記憶部と、前記左右の光学系それぞれに配置され、眼の訓練をするための画像を表示する左右の表示手段と、前記画像の光学像の焦点位置を変える左右一対のシフトレンズと、前記シフトレンズを光軸に沿って移動するレンズ移動手段と、前記レンズ移動手段を介して前記シフトレンズを光軸に沿って移動させると共に、前記左右の表示手段に表示される前記画像を前記左右の光学系の中心軸に対して軸対称に移動させる制御手段とを有し、前記記憶部に保存される前記画像は、前記表示手段の画像表示部の左右方向の長さより長い画像データであり、前記制御手段は、前記画像データを前記表示手段に表示するとき、前記画像データの一部を左または右方向に向かって表示する眼の訓練装置。【選択図】図２
2009045133.tif 000002
【特許請求の範囲】
【請求項１】
左右の光学系と、
眼の訓練をするための画像を保存する記憶部と、
前記左右の光学系それぞれに配置され、眼の訓練をするための画像を表示する左右の表示手段と、
前記画像の光学像の焦点位置を変える左右一対のシフトレンズと、
前記シフトレンズを光軸に沿って移動するレンズ移動手段と、
前記レンズ移動手段を介して前記シフトレンズを光軸に沿って移動させると共に、前記左右の表示手段に表示される前記画像を前記左右の光学系の中心軸に対して軸対称に移動させる制御手段とを有し、
前記記憶部に保存される前記画像は、前記表示手段の画像表示部の左右方向の長さより長い画像データであり、前記制御手段は、前記画像データを前記表示手段に表示するとき、前記画像データの一部を左または右方向に向かって表示することを特徴とする眼の訓練装置。
【請求項２】
前記制御手段は、前記画像データの水平走査時間の読込みスタート位置と読込み方向を変えて、前記画像表示部に表示することを特徴とする請求項１に記載の眼の訓練装置。
【請求項３】
前記制御手段は、ＤＳＰドライバと左右それぞれの画像ドライバを含むことを特徴とする請求項１または２に記載の眼の訓練装置。
【請求項４】
前記画像表示手段は、液晶表示装置であることを特徴とする請求項１から３のいずれか一項に記載の眼の訓練装置。
【発明の詳細な説明】
【技術分野】
【０００１】
本発明は、眼精疲労回復を目的とした眼の訓練装置に関する。
【背景技術】
【０００２】
従来、眼精疲労を回復させることを目的として、眼の訓練を行う左右一対の光学系中に左右一対の視標画像を表示する一対の表示装置（ＬＣＤ）を配置し、この表示装置を機械的に光学系の光軸に沿って移動させると共に、機械的に輻輳方向に移動させる眼の訓練装置が提案されている（例えば、特許文献１参照）。
【特許文献１】特開平８−２４３１３７号公報
【発明の開示】
【発明が解決しようとする課題】
【０００３】
従来の眼の訓練装置は、視標画像の表示装置（ＬＣＤ）を機械的に光軸方向或いは輻輳方向に移動させるため、機構が複雑で装置が大型化しコスト高になると言う問題がある。
【課題を解決するための手段】
【０００４】
上記課題を解決するため、本発明は、左右の光学系と、眼の訓練をするための画像を保存する記憶部と、前記左右の光学系それぞれに配置され、眼の訓練をするための画像を表示する左右の表示手段と、前記画像の光学像の焦点位置を変える左右一対のシフトレンズと、前記シフトレンズを光軸に沿って移動するレンズ移動手段と、前記レンズ移動手段を介して前記シフトレンズを光軸に沿って移動させると共に、前記左右の表示手段に表示される前記画像を前記左右の光学系の中心軸に対して軸対称に移動させる制御手段とを有し、前記記憶部に保存される前記画像は、前記表示手段の画像表示部の左右方向の長さより長い画像データであり、前記制御手段は、前記画像データを前記表示手段に表示するとき、前記画像データの一部を左または右方向に向かって表示することを特徴とする眼の訓練装置を提供する。
【発明の効果】
【０００５】
本発明によれば、輻輳方向への視標画像の移動を電気的に行うことを可能にし、簡易で小型の眼の訓練装置を提供することができる。
【発明を実施するための最良の形態】
【０００６】
以下、本発明の一実施の形態にかかる眼の訓練装置について図面を参照しつつ説明する。図１は実施の形態にかかる眼の訓練装置の上面図である。図２は実施の形態にかかる眼の訓練装置の内部上面図であり内部概略構成を示す。図３は眼の訓練動作説明図である。図４は画像表示制御ブロック図である。図５は画像の移動制御を説明する図である。
【０００７】
図１において、眼の訓練装置１は、本体上面部にパワーボタン２と、後述するシフトレンズを移動させて焦点調節を行うフォーカスボタン３と、眼の訓練動作のスタートボタン４、及び各種の動作モードを設定するモードボタン５が設けられている。
【０００８】
また、眼の訓練装置１の内部の双眼光学系１０には、左眼Ｌと右眼Ｒにそれぞれ配置されたシフトレンズ６Ｌ、６Ｒと、光学系内に埃の侵入等を防止するための防塵ガラス７Ｌ、７Ｒと、目視する画像を表示する画像表示部（以後、ＬＣＤと記す）８Ｌ、８Ｒと、各種制御回路９から構成され、防塵ガラス７Ｌ，７Ｒ方向からＬＣＤ８Ｌ，８Ｒに表示された画像を注視する構成になっている。
【０００９】
左右のシフトレンズ６Ｌ，６Ｒは固定部１１に固定されている。固定部１１はステップモータ１２に接続された送りねじ１３によりステップモータ１２の正逆回転によって光軸中心Ｏに沿って防塵ガラス７Ｌ，７ＲとＬＣＤ８Ｌ，８Ｒとの間を往復移動可能に構成されている。固定部１１を光軸中心Ｏに沿って往復移動することによって、ＬＣＤ８Ｌ，８Ｒ上に表示された画像に対する観察者の眼の焦点調節を可能にしている。
【００１０】
シフトレンズ６Ｌ，６Ｒの位置検出は、固定部１１の初期位置（最もＬＣＤ８Ｌ，８Ｒに近い位置、図２中破線で図示）を原点として、ステップモータ１２に印加されるパルスをカウントすることで行われる。また、ＬＣＤ８Ｌ、８Ｒへのピント合わせはフォーカスボタン３，３によりシフトレンズ６Ｌ，６Ｒを光軸方向に移動することで行われる。フォーカスボタン３、３は一方（例えば、防振ガラス側のボタン）がシフトレンズ６Ｌ，６Ｒを防塵ガラス７Ｌ，７Ｒ方向へ、他方はシフトレンズ６Ｌ，６ＲをＬＣＤ８Ｌ，８Ｒ方向へ移動させるように設定されている。
【００１１】
次に、図３を参照しつつ、眼の訓練動作について説明する。
【００１２】
被験者が防塵レンズ７Ｌ、７Ｒ側からＬＣＤ８Ｌ，８Ｒに表示された画像を見ながら、フォーカスボタン３，３を操作して画像に焦点を合わせ、焦点が合った位置を原点位置とする。その後、スタートボタン４を押すと、原点位置を中心としてシフトレンズ６Ｌ，６Ｒが光軸中心Ｏに沿って予め定められている時間と範囲内（図中、矢印Ａで示）を往復運動を行うと共に、シフトレンズ６Ｌ，６Ｒの動きに同期して、ＬＣＤ８Ｌ，８Ｒに表示された画像が光軸中心Ｏに対して軸対称に移動する。例えば、左眼ＬのＬＣＤ８Ｌ上の画像が光軸中心Ｏから離れる方向に移動するときには、右眼ＲのＬＣＤ８Ｒ上の画像も光軸中心Ｏから離れるようにほぼ同じ移動量移動する（図中、矢印Ｂで示す）。左眼Ｌの画像が光軸中心Ｏに対して近づく時には、右眼Ｒの画像も光軸中心Ｏに近づくように移動する。
【００１３】
このように、シフトレンズ６Ｌ，６Ｒの焦点調節移動に同期して、ＬＣＤ８Ｌ、８Ｒ上の画像が光軸中心Ｏに対して互いに逆向きに移動することにより、被験者の両眼のピント調節機能と輻輳とを同時に訓練することが可能になる。この結果、近くを長時間見つづけたことによる眼の毛様体筋の緊張状態を緩和させることができる。
【００１４】
続いて、ＬＣＤ８Ｌ，８Ｒに表示する画像の制御につい説明する。
【００１５】
図４は実施の形態にかかる眼の訓練装置１の画像表示の制御回路ブロックの一例を示している。ＬＣＤ８Ｌ，８Ｒに表示する画像は、記憶部であるＳＤＲＯＭ１６にそれぞれ保存され、ＤＳＰ１５を介して（Ｄｉｇｉｔａｌ  Ｓｉｇｎａｌ  Ｐｒｏｃｅｓｓｉｎｇの略）左眼用ＬＣＤ８ＬのＬＣＤドライバ１７、及び右眼用のＬＣＤ８ＲのＬＣＤドライバ１８に出力され、後述する表示タイミング処理が施されてそれぞれのＬＣＤ８Ｌ，８Ｒに画像を表示する。
【００１６】
図４の制御回路ブロックに基づき、ＬＣＤ８Ｌ、８Ｒに表示される画像について図５を参照しつつ説明する。
【００１７】
実施の形態にかかる眼の訓練装置１では、ＬＣＤ８Ｌ、ＬＣＤ８Ｒに表示するためにＳＤＲＯＭ１６に保存されている画像データは、図５（ａ）に示すように、ＬＣＤ８Ｌ，８Ｒの表示画面より輻輳方向に対応するように左右方向にシフトする分長い画像が保存されている。このため、ＬＣＤドライバ１７、１８は、所定の範囲がＬＣＤ８Ｌ、８Ｒ上に表示されるように画像データの出力タイミングを調整している。
【００１８】
図５（ｂ）はＤＳＰ１５からの一水平ラインに対する画像出力タイミングを模式的に示している。Ｈｓｙｎｃ信号の１ライン中で、ＳＤＲＯＭ１６に保存されている画像データ（ＤＳＰ出力画像データ範囲）に対して、Ａ〜ＣのいずれのタイミングでＬＣＤドライバ１７、１８からＬＣＤ８Ｌ、８Ｒに画像を出力するかをＨｂｒａｎｋ信号のスタートタイミングで決める。
【００１９】
例えば、ＨｂｒａｎｋタイミングをＡ位置でオンとした場合、ＤＳＰ出力画像データ範囲の図中左端からＬＣＤ８Ｌの水平方向分の画像データ（ＬＣＤ表示画像データ範囲）がＬＣＤ８Ｌで表示される。この状態を図５（Ｃ１）に示す。このように、図５（Ｃ１）の左眼用のＬＣＤ８Ｌでは、左端から画像の表示が開始される。
【００２０】
一方、右眼用のＬＣＤ８Ｒでは、右端から画像の表示が開始されるように画像データの最終データ位置のタイミング（右Ａ）から逆方向に出力するように画像データを送出する。このように画像データをＬＣＤ８Ｒに送出することにより、ＬＣＤ８Ｌと軸対称に画像を表示することが可能となる。
【００２１】
図５（Ｃ１）では、ＬＣＤ８Ｌ、８Ｒに表示される画像は、目標位置（図中、白十字マーク）が光軸中心Ｏに近づいて表示される。
【００２２】
次に、図５（Ｃ２）に示すように、目標位置をＬＣＤ８Ｌ、８Ｒの中央部に位置付けするには、Ｈｂｒａｎｋのタイミングを左右ともＢのタイミングで画像データをそれぞれＬＣＤ８Ｌ、８Ｒに送出することで達成することができる。
【００２３】
また、図５（Ｃ３）に示すように、目標位置を光軸中心Ｏから離れた位置に位置付けするには、Ｈｂｒａｎｋのタイミングを左右ともＣのタイミングで画像データをそれぞれＬＣＤ８Ｌ、８Ｒに送出することで達成することができる。
【００２４】
以上、ＬＣＤ８Ｌ、８Ｒへの画像データの送出タイミングを、Ａ〜Ｃの間で制御することによって、ＬＣＤ８Ｌ、８Ｒに表示される画像の位置を図５（Ｃ１）から図５（Ｃ３）の間で制御することができる。
【００２５】
また、ＡからＣ間の画像データの送出タイミングをシフトレンズ６Ｌ、６Ｒの光軸中心Ｏに沿った移動に連動して行うように、各種制御回路９中の制御部が制御する。
【００２６】
なお、ＬＣＤ８Ｌ、８Ｒへの画像データの送出は、一水平走査ラインごとに行っても良いし、一画面ごとに行っても良い。一水平走査ラインごとに行うか一画面ごとに行うかは、画像移動の速さによって切替えるようにすれば良い。
【００２７】
以上述べたように、実施の形態にかかる眼の訓練装置１によれば、画像表示用ＬＣＤを固定しながら表示される画像を左右方向に、かつ軸対称に移動することが可能になり、簡易で小型化を達成することができる。また、表示画像として、単なるマーク以外の風景等の画像を表示することが可能になり、より効果的に眼精疲労を回復することができる。
【００２８】
なお、上述の実施の形態は例に過ぎず、上述の構成や形状に限定されるものではなく、本発明の範囲内において適宜修正、変更が可能である。
【図面の簡単な説明】
【００２９】
【図１】実施の形態にかかる眼の訓練装置の上面図である。
【図２】実施の形態にかかる眼の訓練装置の内部上面図であり内部概略構成を示す。
【図３】眼の訓練動作説明図である。
【図４】画像表示制御ブロック図である。
【図５】画像の移動制御を説明する図である。
【符号の説明】
【００３０】
１    眼の訓練装置
２    パワーボタン
３    フォーカスボタン
４    スタートボタン
５    モードボタン
６Ｌ，６Ｒ    シフトレンズ
７Ｌ、７Ｒ    防塵ガラス
８Ｌ、８Ｒ    画像表示部（ＬＣＤ）
９    各種制御回路
１０  双眼光学系
１１  固定部
１２  ステップモータ
１３  送りねじ
１５  ＤＳＰ
１６  ＳＤＲＯＭ
１７、１８  ＬＣＤドライバ
【図１】
2009045133.tif 000003
【図２】
2009045133.tif 000004
【図３】
2009045133.tif 000005
【図４】
2009045133.tif 000006
【図５】
2009045133.tif 000007